(57)【要約】【課題】携帯電話と画像表示装置とをＵＳＢ接続して画像データを携帯電話から画像表示装置に送るようにするとともに、携帯電話から画像表示装置に送信した画像を略実時間で画像表示装置の表示手段に表示できるようにするための技術を提供する。【解決手段】画像表示装置１に、画像表示装置１のＵＳＢ端子２４と携帯電話２のＵＳＢ端子５７とが接続されているときに、携帯電話２と画像表示装置１との間のＵＳＢ接続の制御を行うＵＳＢホスト機能を設ける。【選択図】図１
2009088575.tif 000002
【特許請求の範囲】
【請求項１】
外部機器とＵＳＢ接続を行うための携帯ＵＳＢ端子を備えている携帯電話と組合わせて用いられる画像表示装置であって、
前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、
前記画像表示ＵＳＢ端子と前記携帯ＵＳＢ端子とが接続されているときに、前記携帯電話と前記画像表示装置との間のＵＳＢ接続の制御を行うＵＳＢホスト機能を有するＵＳＢ制御手段と、
前記画像データの画像を表示する表示手段と、
前記画像表示ＵＳＢ端子を介して前記携帯電話から受け付けた前記画像データに基づいて前記表示手段に前記画像を表示させる画像データ表示制御手段と、
を有しており、
前記ＵＳＢ制御手段は、前記ＵＳＢ接続を介して前記携帯電話から前記画像表示装置に画像データを送信させるようになっており、
前記画像データ表示制御手段は、前記表示手段に前記画像を略実時間で表示させられるようになっている、
画像表示装置。
【請求項２】
動画および静止画を含む画像データを圧縮する圧縮手段と、外部機器とＵＳＢ接続を行い、前記圧縮手段により圧縮された画像データを外部機器に送るための携帯ＵＳＢ端子と、を備えている携帯電話と組合わせて用いられる画像表示装置であって、
前記携帯ＵＳＢ端子とＵＳＢ接続を行い、当該ＵＳＢ接続を介して前記携帯電話の前記圧縮手段により圧縮された画像データを受け付けるための画像表示ＵＳＢ端子と、
前記画像表示ＵＳＢ端子と前記携帯ＵＳＢ端子とが接続されているときに、前記携帯電話と前記画像表示装置との間のＵＳＢ接続の制御を行うＵＳＢホスト機能を有するＵＳＢ制御手段と、
前記画像データの画像を表示する表示手段と、
前記画像表示ＵＳＢ端子を介して前記携帯電話から受け付けた前記圧縮された画像データを伸張する伸張手段と、
前記伸張手段により伸張された前記画像データに基づいて前記表示手段に前記画像を表示させる画像データ表示制御手段と、
を有しており、
前記ＵＳＢ制御手段は、前記ＵＳＢ接続を介して前記携帯電話から前記画像表示装置に画像データを送信させるようになっており、
前記画像データ表示制御手段は、前記表示手段に前記画像を略実時間で表示させられるようになっている、
画像表示装置。
【請求項３】
前記携帯電話から前記画像表示装置に送信させるべき画像データを指定する画像データ指定手段をさらに有しており、
前記ＵＳＢ制御手段は、前記画像データ指定手段により指定された画像データを、前記ＵＳＢ接続を介して前記携帯電話から前記画像表示装置に送信させるようになっている、
請求項１記載の画像表示装置。
【請求項４】
前記携帯電話から前記画像表示装置に送信させるべき画像データを指定する画像データ指定手段をさらに有しており、
前記ＵＳＢ制御手段は、前記画像データ指定手段により指定された画像データを、前記圧縮手段により圧縮させて前記ＵＳＢ接続を介して前記携帯電話から前記画像表示装置に送信させるようになっている、
請求項２記載の画像表示装置。
【請求項５】
外部機器とＵＳＢ接続を行うための携帯ＵＳＢ端子を備えている携帯電話と組合わせて用いられるものであり、前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに、前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた前記画像データに基づいて前記表示手段に前記画像を表示させる画像データ表示制御手段と、これらを制御するコンピュータとを有する、画像表示装置にて実行される方法であって、
前記コンピュータが、
前記画像表示ＵＳＢ端子と前記携帯ＵＳＢ端子とが接続されているときに、前記携帯電話と前記画像表示装置との間のＵＳＢ接続の制御を行う過程、
前記ＵＳＢ接続を介して前記携帯電話から前記画像表示装置に画像データを送信させる過程、
前記画像表示ＵＳＢ端子を介して前記携帯電話から受け付けた前記画像データに基づいて、前記表示手段に前記画像データの画像を表示させる過程、
を実行することにより、
前記画像データを前記ＵＳＢ接続を介して前記携帯電話から前記画像表示装置に送信させ、前記画像表示装置の前記表示手段に前記画像を略実時間で表示させられるようにする、
方法。
【請求項６】
動画および静止画を含む画像データを圧縮する圧縮手段と、外部機器とＵＳＢ接続を行い、前記圧縮手段により圧縮された画像データを外部機器に送るための携帯ＵＳＢ端子と、を備えている携帯電話と組合わせて用いられるものであり、前記携帯ＵＳＢ端子とＵＳＢ接続を行い、当該ＵＳＢ接続を介して前記携帯電話の前記圧縮手段により圧縮された画像データを受け付けるための画像表示ＵＳＢ端子と、前記画像表示ＵＳＢ端子と前記携帯ＵＳＢ端子とが接続されているときに、前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた前記圧縮された画像データを伸張する伸張手段と、前記伸張手段により伸張された前記画像データに基づいて前記表示手段に前記画像を表示させる画像データ表示制御手段と、これらを制御するコンピュータとを有する、画像表示装置にて実行される方法であって、
前記コンピュータが、
前記画像表示ＵＳＢ端子と前記携帯ＵＳＢ端子とが接続されているときに、前記携帯電話と前記画像表示装置との間のＵＳＢ接続の制御を行う過程、
前記携帯電話の前記圧縮手段により圧縮された画像データを前記ＵＳＢ接続を介して前記携帯電話から前記画像表示装置に送信させる過程、
前記画像表示ＵＳＢ端子を介して前記携帯電話から受け付けた圧縮された画像データを伸張する過程、
前記伸張した前記画像データに基づいて、前記表示手段に前記画像データを表示させる過程、
を実行することにより、
前記画像データを前記ＵＳＢ接続を介して前記携帯電話から前記画像表示装置に送信させ、前記画像表示装置の前記表示手段に前記画像を略実時間で表示させられるようにする、
方法。
【請求項７】
外部機器とＵＳＢ接続を行うための携帯ＵＳＢ端子を備えている携帯電話であり、
前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに前記携帯電話と画像表示装置との間のＵＳＢ接続の制御を行うＵＳＢホスト機能を有しており、前記ＵＳＢ接続を介して前記携帯電話から前記画像表示装置に画像データを送信させられるようになっているＵＳＢ制御手段と、前記画像データの画像を表示する表示手段と、前記画像表示ＵＳＢ端子を介して前記携帯電話から受け付けた前記画像データに基づいて前記表示手段に前記画像を表示させる画像データ表示制御手段と、を有している画像表示装置と組み合わせて用いられるものであって、
前記携帯電話から前記画像表示装置に送信すべき画像データに、この画像データが静止画のデータであるか動画のデータであるかを示す標識を付する標識付加手段を有しており、
前記画像表示装置の前記画像データ表示制御手段は、前記ＵＳＢ接続を介して前記携帯電話から前記画像表示装置に送信された画像データに付された前記標識によって前記画像データが静止画のデータであるか動画のデータであるかを認識し、前記画像データが動画のデータである場合には動画像、前記画像データが静止画のデータである場合には静止画像を、前記表示手段に略実時間で表示させられるようになっている、
携帯電話。
【請求項８】
外部機器とＵＳＢ接続を行うための携帯ＵＳＢ端子を備えている携帯電話であり、
前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに、前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた前記画像データに基づいて前記表示手段に前記画像を表示させる画像データ表示制御手段と、を有している画像表示装置と組み合わせて用いられるものであって、
前記携帯電話から前記画像表示装置に送信すべき画像データを指定する画像データ指定手段を有しており、
前記画像表示装置の前記ＵＳＢ制御手段は、前記画像データ指定手段により指定された画像データを、前記ＵＳＢ接続を介して前記携帯電話から前記画像表示装置に送信させるようになっており、
前記画像表示装置の前記表示手段は、前記画像データ指定手段により指定された画像データの前記画像を略実時間で表示させられるようになっている、
携帯電話。
【請求項９】
前記画像データ指定手段により指定した画像データに、この画像データが静止画のデータであるか動画のデータであるかを示す標識を付する標識付加手段をさらに有しており、
前記画像表示装置の前記画像データ表示制御手段は、前記ＵＳＢ接続を介して前記携帯電話から前記画像表示装置に送信された画像データに付された前記標識により、前記画像データが静止画のデータであるか動画のデータであるかを認識し、前記画像データが動画のデータである場合には動画像、前記画像データが静止画のデータである場合には静止画像を、前記表示手段に略実時間で表示させられるようになっている、
請求項８記載の携帯電話。
【請求項１０】
外部機器とＵＳＢ接続を行うための携帯ＵＳＢ端子を備えている携帯電話であり、
前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに、前記携帯電話と画像表示装置との間のＵＳＢ接続の制御を行うＵＳＢホスト機能を有するＵＳＢ制御手段と、圧縮された画像データを伸張する伸張手段と、前記画像データの画像を表示する表示手段と、前記画像表示ＵＳＢ端子を介して前記携帯電話から受け付けた前記画像データに基づいて前記表示手段に前記画像を表示させる画像データ表示制御手段と、を有している画像表示装置と組み合わせて用いられるものであって、
前記画像表示装置に送信すべき画像データを圧縮する圧縮手段を備えており、
前記画像表示装置の伸張手段は、前記画像表示ＵＳＢ端子を介して前記携帯電話から受け付けた、前記圧縮手段により圧縮された画像データを伸張するようになっており、
前記画像表示装置の前記表示手段は、伸張した前記画像データの前記画像を略実時間で表示させられるようになっている、
携帯電話。
【請求項１１】
前記携帯電話から前記画像表示装置に送信すべき画像データを指定する画像データ指定手段をさらに有しており、
前記画像表示装置の前記ＵＳＢ制御手段は、前記画像データ指定手段により指定された画像データを、前記圧縮手段により圧縮させて前記ＵＳＢ接続を介して前記携帯電話から前記画像表示装置に送信させるようになっている、
請求項１０記載の携帯電話。
【請求項１２】
前記携帯電話から前記画像表示装置に送信すべき画像データに、この画像データが静止画のデータであるか動画のデータであるかを示す標識を付する標識付加手段をさらに有しており、
前記画像表示装置の前記画像データ表示制御手段は、前記伸張手段により伸張された画像データに付された前記標識により、前記画像データが静止画のデータであるか動画のデータであるかを認識し、前記画像データが動画のデータである場合には動画像、前記画像データが静止画のデータである場合には静止画像を、前記表示手段に略実時間で表示させられるようになっている、
請求項１０記載の携帯電話。
【請求項１３】
前記圧縮手段は、前記携帯電話から前記画像表示装置に送信すべき画像データが動画である場合には、前記携帯電話から前記画像表示装置に送信すべき画像データが静止画である場合よりも圧縮のレートを高くするようになっている、
請求項１０ないし１２のいずれかの項記載の携帯電話。
【請求項１４】
外部機器とＵＳＢ接続を行うための携帯ＵＳＢ端子と、これを制御するコンピュータとを備えている携帯電話であり、
前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた前記画像データに基づいて前記表示手段に前記画像を表示させる画像データ表示制御手段と、を有している画像表示装置と組み合わせて用いられるものにて実行される方法であって、
前記コンピュータが、
前記携帯電話から前記画像表示装置に送信すべき画像データに、この画像データが静止画のデータであるか動画のデータであるかを示す標識を付する過程、
前記標識を付した画像データを前記ＵＳＢ接続を介して前記携帯電話から前記画像表示装置に送信する過程、
を実行することにより、
前記画像表示装置の前記表示手段に、前記画像データが動画のデータである場合には動画像、前記画像データが静止画のデータである場合には静止画像を略実時間で表示させられるようにする、
方法。
【請求項１５】
外部機器とＵＳＢ接続を行うための携帯ＵＳＢ端子と、これを制御するコンピュータとを備えている携帯電話であり、
前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに、前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた前記画像データに基づいて前記表示手段に前記画像を表示させる画像データ表示制御手段と、を有している画像表示装置と組み合わせて用いられるものにて実行される方法であって、
前記コンピュータが、
前記携帯電話のユーザに前記携帯電話から前記画像表示装置に送信すべき画像データを指定させる過程、
前記ユーザにより指定された画像データを前記ＵＳＢ接続を介して前記携帯電話から前記画像表示装置に送信する過程、
を実行することにより、
前記画像表示装置の前記表示手段に前記画像を略実時間で表示させられるようにする、
方法。
【請求項１６】
外部機器とＵＳＢ接続を行うための携帯ＵＳＢ端子と、これを制御するコンピュータとを備えている携帯電話であり、
前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに、前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた圧縮された画像データを伸張する伸張手段と、前記伸張手段により伸張された前記画像データに基づいて前記表示手段に前記画像を表示させる画像データ表示制御手段と、を有している画像表示装置と組み合わせて用いられるものにて実行される方法であって、
前記コンピュータが、
前記画像表示装置に送信すべき画像データを圧縮する過程、  
圧縮した前記画像データを前記ＵＳＢ接続を介して前記携帯電話から前記画像表示装置に送信する過程、
を実行することにより、
前記画像表示装置の前記表示手段に前記画像を略実時間で表示させられるようにする、
方法。
【請求項１７】
外部機器とＵＳＢ接続を行うための携帯ＵＳＢ端子と、これを制御するコンピュータとを備えている携帯電話であり、
前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた前記画像データに基づいて前記表示手段に前記画像を表示させる画像データ表示制御手段と、を有している画像表示装置と組み合わせて用いられるものの前記コンピュータに、
前記携帯電話から前記画像表示装置に送信すべき画像データに、この画像データが静止画のデータであるか動画のデータであるかを示す標識を付する過程、
前記標識を付した画像データを前記ＵＳＢ接続を介して前記携帯電話から前記画像表示装置に送信する過程、
を実行させることにより、
前記画像表示装置の前記表示手段に、前記画像データが動画のデータである場合には動画像、前記画像データが静止画のデータである場合には静止画像を略実時間で表示させられるようにするための、
プログラム。
【請求項１８】
外部機器とＵＳＢ接続を行うための携帯ＵＳＢ端子と、これを制御するコンピュータとを備えている携帯電話であり、
前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに、前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた圧縮された画像データを伸張する伸張手段と、前記伸張手段により伸張された前記画像データに基づいて前記表示手段に前記画像を表示させる画像データ表示制御手段と、を有している画像表示装置と組み合わせて用いられるものの前記コンピュータに、
前記画像表示装置に送信すべき画像データを圧縮する過程、  
圧縮した前記画像データを前記ＵＳＢ接続を介して前記携帯電話から前記画像表示装置に送信する過程、
を実行させることにより、
前記画像表示装置の前記表示手段に前記画像を略実時間で表示させられるようにするための、
プログラム。
【請求項１９】
前記画像データは、前記携帯電話内に内蔵されたテレビチューナで受信した動画のデータ、前記携帯電話のメモリまたは前記携帯電話に収容されたメモリカードに記録された動画のデータまたは静止画のデータ、または動画のデータを配信するコンテンツサーバからインターネットを介して受信した動画のデータのいずれかである、
請求項１ないし１８のいずれかの項記載の画像表示装置。
【発明の詳細な説明】
【技術分野】
【０００１】
本発明は、画像表示装置と携帯電話とをＵＳＢ接続するための技術に関する。
【背景技術】
【０００２】
近年、携帯電話にはインターネット接続機能やメモリカードを収容できるインタフェースが設けられている場合が一般的である。また、テレビチューナが設けられているものも存在する。このような携帯電話では、インターネットを介してダウンロードした動画や、テレビチューナにより受信したテレビ放送等の画像を見ることができる。
これらの画像は携帯電話のディスプレイに表示されることとなるが、このディスプレイはどんなに大きいものでも２インチ程度とされていることから表示される画像がそれほど大きくなく、どうしても臨場感に欠けたものとなってしまう。この点、携帯電話の画像を他の画像表示装置で表示することができれば、臨場感あふれる画像を楽しむことができる。
本願発明者は、使用者が携帯して持ち運ぶことができ、見たいときに動画を取得することができるという携帯電話の利点を喪失することなく、必要に応じて携帯電話の画像を他の画像表示装置で表示するための手法について考察した結果、携帯電話に設けられるＵＳＢ（ユニバーサルシリアルバス）端子と画像表示装置に設けられるＵＳＢ端子を接続して携帯電話から画像表示装置に動画のデータを送ることを想起するに至った。このＵＳＢ接続は、携帯電話にはともかく、パーソナルコンピュータの分野では非常に広く普及しており、ユーザに使用させる際に生じる困難もそれほど大きくないと予想される。
しかしながら、現在の携帯電話および画像表示装置は共に、ホスト機器から制御信号を与えられて初めてデータ伝送を行うことができるデバイス機器であり、両者を接続するだけでは携帯電話から画像表示装置に画像データを送信することはできない。
【発明の開示】
【発明が解決しようとする課題】
【０００３】
本発明は、携帯電話と画像表示装置とをＵＳＢ接続して画像データを携帯電話から画像表示装置に送るようにするとともに、携帯電話から画像表示装置に送信した画像を略実時間で画像表示装置の表示手段に表示できるようにするための技術を提供することをその課題とする。
【課題を解決するための手段】
【０００４】
本願発明者は、上述の課題を解決すべく、以下の発明を提案する。
【０００５】
本願発明は、以下の画像表示装置を提供する。
本発明は、外部機器とＵＳＢ接続を行うための携帯ＵＳＢ端子を備えている携帯電話と組合わせて用いられる画像表示装置である。
そして、この画像表示装置は、前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに、前記携帯電話と前記画像表示装置との間のＵＳＢ接続の制御を行うＵＳＢホスト機能を有するＵＳＢ制御手段と、前記画像データの画像を表示する表示手段と、前記ＵＳＢ端子を介して前記携帯電話から受け付けた前記画像データに基づいて前記表示手段に前記画像を表示させる画像データ表示制御手段と、を有しており、前記ＵＳＢ制御手段は、前記ＵＳＢ接続を介して前記携帯電話から前記画像表示装置に画像データを送信させるようになっており、前記画像データ表示制御手段は、前記表示手段に前記画像を略実時間で表示させられるようになっている。
この画像表示装置は、携帯電話と画像表示装置との間のＵＳＢ接続の制御を行うＵＳＢホスト機能を有するＵＳＢ制御手段を有しているので、携帯電話と画像表示装置の間のＵＳＢ接続を画像表示装置側から制御することができる。したがって、この画像表示装置を用いれば、携帯電話の画像データを、ＵＳＢ接続を用いて画像表示装置に送信させることができるようになるとともに、送信させた画像を略実時間で表示手段に表示させられるようになる。
なお、本発明における画像表示装置は、画像を表示することができる装置ならどのような装置でもよく、例えば、画像表示装置の使用時にユーザの一方の目の前に位置するものであり、所定の画像の像光を前記一方の目に導くことによって、当該一方の目の視野の一部である表示範囲に存在するような状態で当該一方の目で前記画像を見られるようにする表示手段を備えているものや、高解像度の大画面ディスプレイ、プロジェクタであってもよい。
【０００６】
この画像表示装置が奏するのと同様の作用効果を、以下の方法によっても得ることができる。
この方法は、外部機器とＵＳＢ接続を行うための携帯ＵＳＢ端子を備えている携帯電話と組合わせて用いられるものであり、前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに、前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた前記画像データに基づいて前記表示手段に前記画像を表示させる画像データ表示制御手段と、これらを制御するコンピュータとを有する、画像表示装置にて実行される方法である。
この方法では、前記コンピュータが、前記画像表示ＵＳＢ端子と前記携帯ＵＳＢ端子とが接続されているときに、前記携帯電話と前記画像表示装置との間のＵＳＢ接続の制御を行う過程、前記ＵＳＢ接続を介して前記携帯電話から前記画像表示装置に画像データを送信させる過程、前記画像表示ＵＳＢ端子を介して前記携帯電話から受け付けた前記画像データに基づいて、前記表示手段に前記画像データを表示させる過程、を実行することにより、前記画像データを前記ＵＳＢ接続を介して前記携帯電話から前記画像表示装置に送信させ、前記画像表示装置の前記表示手段に前記画像を略実時間で表示させられるようにする。
【０００７】
前記画像表示装置は、前記携帯電話から前記画像表示装置に送信させるべき画像データを指定する画像データ指定手段をさらに有しており、前記ＵＳＢ制御手段は、前記画像データ指定手段により指定された画像データを、前記ＵＳＢ接続を介して前記携帯電話から前記画像表示装置に送信させるようになっていてもよい。
携帯電話から画像表示装置に画像データを送信する際、送信に先立っていずれの画像データを送信するかをユーザが指定する必要がある。この指定を画像表示装置側で行うように構成してもよい。
【０００８】
また、本発明は、以下の画像表示装置を提供する。
この画像表示装置は、動画および静止画を含む画像データを圧縮する圧縮手段と、外部機器とＵＳＢ接続を行い、前記圧縮手段により圧縮された画像データを外部機器に送るための携帯ＵＳＢ端子と、を備えている携帯電話と組合わせて用いられる画像表示装置である。そして、この画像表示装置は、前記携帯ＵＳＢ端子とＵＳＢ接続を行い、当該ＵＳＢ接続を介して前記携帯電話の前記圧縮手段により圧縮された画像データを受け付けるための画像表示ＵＳＢ端子と、前記画像表示ＵＳＢ端子と前記携帯ＵＳＢ端子とが接続されているときに、前記携帯電話と前記画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた前記圧縮された画像データを伸張する伸張手段と、前記伸張手段により伸張された前記画像データに基づいて前記表示手段に前記画像を表示させる画像データ表示制御手段と、を有しており、前記ＵＳＢ制御手段は、前記ＵＳＢ接続を介して前記携帯電話から前記画像表示装置に画像データを送信させるようになっており、前記画像データ表示制御手段は、前記表示手段に前記画像を略実時間で表示させられるようになっている。
この画像表示装置は、上述した画像表示装置と基本的な構成を同一にする。したがって、この画像表示装置は、上述した画像表示装置と同様の作用効果を奏する。
この画像表示装置は、上述した画像表示装置に伸張手段を追加したものとなっている。これにより、この画像表示装置は、上述した画像表示装置が奏さない以下の作用効果を奏するものとなる。すなわち、圧縮した画像データを携帯電話から受け取り、それに基づく表示手段への画像表示を行うことができる。
ＵＳＢ接続のデータの転送スピードはそれほど早くないが、画像表示装置が携帯電話の圧縮手段により予め圧縮された画像データを受け取ってこれに基づく画像表示ができるようにすれば、携帯電話から画像表示装置への画像データの転送を実現化し易くなる。
【０００９】
この画像表示装置と同様の作用効果を、以下の方法によっても得ることができる。
この方法は、動画および静止画を含む画像データを圧縮する圧縮手段と、外部機器とＵＳＢ接続を行い、前記圧縮手段により圧縮された画像データを外部機器に送るための携帯ＵＳＢ端子と、を備えている携帯電話と組合わせて用いられるものであり、前記携帯ＵＳＢ端子とＵＳＢ接続を行い、当該ＵＳＢ接続を介して前記携帯電話の前記圧縮手段により圧縮された画像データを受け付けるための画像表示ＵＳＢ端子と、前記画像表示ＵＳＢ端子と前記携帯ＵＳＢ端子とが接続されているときに、前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた前記圧縮された画像データを伸張する伸張手段と、前記伸張手段により伸張された前記画像データに基づいて前記表示手段に前記画像を表示させる画像データ表示制御手段と、これらを制御するコンピュータとを有する、画像表示装置にて実行される方法である。この方法では、前記コンピュータが、前記画像表示ＵＳＢ端子と前記携帯ＵＳＢ端子とが接続されているときに、前記携帯電話と前記画像表示装置との間のＵＳＢ接続の制御を行う過程、前記携帯電話の前記圧縮手段により圧縮された画像データを前記ＵＳＢ接続を介して前記携帯電話から前記画像表示装置に送信させる過程、前記画像表示ＵＳＢ端子を介して前記携帯電話から受け付けた圧縮された画像データを伸張する過程、前記伸張した前記画像データに基づいて、前記表示手段に前記画像データを表示させる過程、を実行することにより、前記画像データを前記ＵＳＢ接続を介して前記携帯電話から前記画像表示装置に送信させ、前記画像表示装置の前記表示手段に前記画像を略実時間で表示させられるようにする。
【００１０】
前記画像表示装置は、上述の画像表示装置と同様に、前記携帯電話から前記画像表示装置に送信させるべき画像データを指定する画像データ指定手段をさらに有しており、前記ＵＳＢ制御手段は、前記画像データ指定手段により指定された画像データを、前記圧縮手段により圧縮させて前記ＵＳＢ接続を介して前記携帯電話から前記画像表示装置に送信させるようになっていてもよい。
【００１１】
本発明は、以下の携帯電話を提供する。
本発明の携帯電話は、外部機器とＵＳＢ接続を行うための携帯ＵＳＢ端子を備えている。この携帯電話は、前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに前記携帯電話と画像表示装置との間のＵＳＢ接続の制御を行うＵＳＢホスト機能を有しており、前記ＵＳＢ接続を介して前記携帯電話から前記画像表示装置に画像データを送信させられるようになっているＵＳＢ制御手段と、前記画像データの画像を表示する表示手段と、前記画像表示ＵＳＢ端子を介して前記携帯電話から受け付けた前記画像データに基づいて前記表示手段に前記画像を表示させる画像データ表示制御手段と、を有している画像表示装置と組み合わせて用いられるものであって、前記携帯電話から前記画像表示装置に送信すべき画像データに、この画像データが静止画のデータであるか動画のデータであるかを示す標識を付する標識付加手段を有しており、前記画像表示装置の前記画像データ表示制御手段は、前記ＵＳＢ接続を介して前記携帯電話から前記画像表示装置に送信された画像データに付された前記標識によって前記画像データが静止画のデータであるか動画のデータであるかを認識し、前記画像データが動画のデータである場合には動画像、前記画像データが静止画のデータである場合には静止画像を、前記表示手段に略実時間で表示させられるようになっている。
すなわち、この携帯電話は、携帯電話から画像表示装置に送信すべき画像データに、この画像データが静止画のデータであるか動画のデータであるかを示す標識を付するような構成となっている。こうすれば、画像表示装置側で送信されてきた画像データが静止画のデータであるか動画のデータであるかを容易に認識することができ、データに併せて適切に表示させることができる。
このような携帯電話と組み合わせて用いられる画像表示装置の画像データ表示制御手段は、前記ＵＳＢ接続を介して前記携帯電話から前記画像表示装置に送信された画像データに付された前記標識によって前記画像データが静止画のデータであるか動画のデータであるかを認識するように構成することができる。
なお、前記画像データは、前記携帯電話内に内蔵されたテレビチューナで受信した動画のデータ、前記携帯電話のメモリまたは前記携帯電話に収容されたメモリカードに記録された動画のデータまたは静止画のデータ、または動画のデータを配信するコンテンツサーバからインターネットを介して受信した動画のデータのいずれかであるものとすることができる。
【００１２】
この携帯電話と同様の作用効果を、以下の方法によっても得ることができる。
その方法は、外部機器とＵＳＢ接続を行うための携帯ＵＳＢ端子と、これを制御するコンピュータとを備えている携帯電話であり、前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた前記画像データに基づいて前記表示手段に前記画像を表示させる画像データ表示制御手段と、を有している画像表示装置と組み合わせて用いられるものにて実行される方法であって、前記コンピュータが、前記携帯電話から前記画像表示装置に送信すべき画像データに、この画像データが静止画のデータであるか動画のデータであるかを示す標識を付する過程、前記標識を付した画像データを前記ＵＳＢ接続を介して前記携帯電話から前記画像表示装置に送信する過程、を実行することにより、前記画像表示装置の前記表示手段に、前記画像データが動画のデータである場合には動画像、前記画像データが静止画のデータである場合には静止画像を略実時間で表示させられるようにする。
【００１３】
このような標識付加手段を有する携帯電話は、インターネットを介してのプログラムのインストールが可能とされた既存の携帯電話に、以下のようなプログラムをインストールすることによって製造することも可能である。
そのプログラムは、外部機器とＵＳＢ接続を行うための携帯ＵＳＢ端子と、これを制御するコンピュータとを備えている携帯電話であり、前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた前記画像データに基づいて前記表示手段に前記画像を表示させる画像データ表示制御手段と、を有している画像表示装置と組み合わせて用いられるものの前記コンピュータに、前記携帯電話から前記画像表示装置に送信すべき画像データに、この画像データが静止画のデータであるか動画のデータであるかを示す標識を付する過程、前記標識を付した画像データを前記ＵＳＢ接続を介して前記携帯電話から前記画像表示装置に送信する過程、を実行させることにより、前記画像表示装置の前記表示手段に、前記画像データが動画のデータである場合には動画像、前記画像データが静止画のデータである場合には静止画像を略実時間で表示させられるようにするための、プログラム、である。
【００１４】
また、本発明は、以下の携帯電話を提供する。
本発明の携帯電話は、外部機器とＵＳＢ接続を行うための携帯ＵＳＢ端子を備えている。この携帯電話は、前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに、前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた前記画像データに基づいて前記表示手段に前記画像を表示させる画像データ表示制御手段と、を有している画像表示装置と組み合わせて用いられるものであって、前記携帯電話から前記画像表示装置に送信すべき画像データを指定する画像データ指定手段を有しており、前記画像表示装置の前記ＵＳＢ制御手段は、前記画像データ指定手段により指定された画像データを、前記ＵＳＢ接続を介して前記携帯電話から前記画像表示装置に送信させるようになっており、前記画像表示装置の前記表示手段は、前記画像データ指定手段により指定された画像データの前記画像を略実時間で表示させられるようになっている。
すなわち、携帯電話から画像表示装置に送信させるべき画像データを、ユーザが携帯電話で指定できるような構成にしてもよい。
【００１５】
この携帯電話と同様の作用効果を、以下の方法によっても得ることができる。
その方法は、外部機器とＵＳＢ接続を行うための携帯ＵＳＢ端子と、これを制御するコンピュータとを備えている携帯電話であり、前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに、前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた前記画像データに基づいて前記表示手段に前記画像を表示させる画像データ表示制御手段と、を有している画像表示装置と組み合わせて用いられるものにて実行される方法である。この方法では、前記コンピュータが、前記携帯電話のユーザに前記携帯電話から前記画像表示装置に送信すべき画像データを指定させる過程、前記ユーザにより指定された画像データを前記ＵＳＢ接続を介して前記携帯電話から前記画像表示装置に送信する過程、を実行することにより、前記画像表示装置の前記表示手段に前記画像を略実時間で表示させられるようにする。
【００１６】
なお、以上の携帯電話は、前記画像データ指定手段により指定した画像データに、この画像データが静止画のデータであるか動画のデータであるかを示す標識を付する標識付加手段をさらに有しており、前記画像表示装置の前記画像データ表示制御手段は、前記ＵＳＢ接続を介して前記携帯電話から前記画像表示装置に送信された画像データに付された前記標識により、前記画像データが静止画のデータであるか動画のデータであるかを認識し、前記画像データが動画のデータである場合には動画像、前記画像データが静止画のデータである場合には静止画像を、前記表示手段に略実時間で表示させられるようになっていてもよい。
【００１７】
本発明はまた、以下の携帯電話を提供する。
この携帯電話は、外部機器とＵＳＢ接続を行うための携帯ＵＳＢ端子を備えている携帯電話である。この携帯電話は、前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに、前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた前記画像データに基づいて前記表示手段に前記画像を表示させる画像データ表示制御手段と、を有している画像表示装置と組み合わせて用いられるものであって、前記画像表示装置に送信すべき画像データを圧縮する圧縮手段を備えており、前記画像表示装置の伸張手段は、前記画像表示ＵＳＢ端子を介して前記携帯電話から受け付けた、前記圧縮手段により圧縮された画像データを伸張するようになっており、前記画像表示装置の前記表示手段は、伸張した前記画像データの前記画像を略実時間で表示させられるようになっている。
この携帯電話は、圧縮手段を有するものとなっている。したがってこの携帯電話では、携帯電話から画像表示装置へ送る画像データを圧縮手段によって予め圧縮することができ、画像データの転送を実現化し易くなるという作用効果をさらに有する。
【００１８】
この携帯電話と同様の作用効果を、以下の方法によっても得ることができる。
この方法は、外部機器とＵＳＢ接続を行うための携帯ＵＳＢ端子と、これを制御するコンピュータとを備えている携帯電話であり、前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに、前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた圧縮された画像データを伸張する伸張手段と、前記伸張手段により伸張された前記画像データに基づいて前記表示手段に前記画像を表示させる画像データ表示制御手段と、を有している画像表示装置と組み合わせて用いられるものにて実行される方法である。この方法では、前記コンピュータが、前記画像表示装置に送信すべき画像データを圧縮する過程、圧縮した前記画像データを前記ＵＳＢ接続を介して前記携帯電話から前記画像表示装置に送信させる過程、を実行することにより、前記画像表示装置の前記表示手段に前記画像を略実時間で表示させられるようにする。
【００１９】
このような圧縮手段を有する携帯電話は、以下のようなプログラムをインストールすることによって製造することも可能である。
そのプログラムは、外部機器とＵＳＢ接続を行うための携帯ＵＳＢ端子と、これを制御するコンピュータとを備えている携帯電話であり、前記携帯ＵＳＢ端子とＵＳＢ接続を行い、当該ＵＳＢ接続を介して前記携帯電話から送り出される動画および静止画を含む画像データを受け付けるための画像表示ＵＳＢ端子と、前記画像表示ＵＳＢ端子と前記携帯ＵＳＢ端子とが接続されているときに、前記携帯電話と画像表示装置との間のＵＳＢ接続の制御を行うＵＳＢホスト機能を有するＵＳＢ制御手段と、前記画像データの画像を表示する表示手段と、前記画像表示ＵＳＢ端子を介して前記携帯電話から受け付けた圧縮された画像データを伸張する伸張手段と、前記伸張手段により伸張された前記画像データに基づいて前記表示手段に前記画像を表示させる画像データ表示制御手段と、を有している画像表示装置と組み合わせて用いられるものの前記コンピュータに、前記画像表示装置に送信すべき画像データを圧縮する過程、圧縮した前記画像データを前記ＵＳＢ接続を介して前記携帯電話から前記画像表示装置に送信する過程、を実行させることにより、前記画像表示装置の前記表示手段に前記画像を略実時間で表示させられるようにするための、プログラム、である。
【００２０】
なお、前記圧縮手段は、携帯電話から画像表示装置へ送る画像データをすべて圧縮するようになっていてもよいし、必要に応じて圧縮するようになっていてもよい。例えば、前記圧縮手段は、前記携帯電話から前記画像表示装置に送信すべき画像データが動画である場合には、前記携帯電話から前記画像表示装置に送信すべき画像データが静止画である場合よりも圧縮のレートを高くするようになっていてもよい。これは、画像表示装置の表示手段で画像データを見る際に都合がよい。例えば携帯電話で受信したテレビ放送の動画を画像表示装置で見るとともに、その音声を携帯電話から聞く場合、画像と音声がずれないように、携帯電話で受信したのと略実時間で画像表示装置の表示手段に画像が表示されるのが好ましい。この場合、動画である画像の画質よりも実時間性の方が優先される。他方、静止画のデータが文字を含んだ文書データである場合も考えられ、この静止画のデータが画像表示装置に送られた場合、この文書データを用いてプレゼンテーションを行うなど、その後の使用が見込まれる。このようなその後の使用が見込まれる静止画は、画質の良さが優先される。画像が動画の場合も静止画の場合も携帯電話から画像表示装置へ大きなデータを速く送ることができれば、実時間性と画質の双方について満足のいく結果が得られる。しかし、本発明における携帯電話から画像表示装置への画像データの送信は、データの転送速度がそれほど大きくないＵＳＢ接続を用いるため、大きなデータを速く送るというのは困難である。
上述のように、圧縮手段を、前記携帯電話から前記画像表示装置に送信すべき画像データが動画である場合には、前記携帯電話から前記画像表示装置に送信すべき画像データが静止画である場合よりも圧縮のレートを高くするようなものとすれば、動画のデータを速く送ることができる（この場合、画質は多少犠牲にされる場合がある。）とともに、静止画のデータを高画質なまま送るようにできる。つまり、圧縮手段を上述のようなものとすることで、送信すべき画像データが動画である場合に必要とされる実時間性と、送信すべき画像が静止画である場合に必要とされる画質の双方が満足させられるようになる。
【００２１】
このような携帯電話は、前記携帯電話から前記画像表示装置に送信すべき画像データを指定する画像データ指定手段をさらに有しており、前記画像表示装置の前記ＵＳＢ制御手段は、前記画像データ指定手段により指定された画像データを、前記圧縮手段により圧縮させて前記ＵＳＢ接続を介して前記携帯電話から前記画像表示装置に送信させるようになっていてもよい。すなわち、携帯電話から画像表示装置に送信させるべき画像データを、ユーザが携帯電話で指定できるような構成にしてもよい。
【００２２】
また、このような携帯電話は、前記携帯電話から前記画像表示装置に送信すべき画像データに、この画像データが静止画のデータであるか動画のデータであるかを示す標識を付する標識付加手段をさらに有しており、前記画像表示装置の前記画像データ表示制御手段は、前記伸張手段により伸張された画像データに付された前記標識により、前記画像データが静止画のデータであるか動画のデータであるかを認識し、前記画像データが動画のデータである場合には動画像、前記画像データが静止画のデータである場合には静止画像を、前記表示手段に略実時間で表示させられるようになっていてもよい。
【発明の効果】
【００２３】
本発明によれば、携帯電話と画像表示装置とをＵＳＢ接続して画像データを携帯電話から画像表示装置に送るようにするとともに、携帯電話から画像表示装置に送信した画像を略実時間で画像表示装置の表示手段に表示できるようになる。
【発明を実施するための最良の形態】
【００２４】
以下、本発明の好ましい一実施形態を、図面を参照しながら説明する。
【００２５】
本実施形態では、本発明の画像表示装置として、頭部などの身体に装着して使用され、ユーザの眼前に画像を表示するヘッドマウントディスプレイ（ＨＭＤ）タイプの画像表示装置１を使用する。
図１は、本実施形態の画像表示装置１、携帯電話２、およびこの両者を接続するＵＳＢケーブルＣを示す図である。
【００２６】
まず、本実施形態の画像表示装置１の構成について説明する。
この画像表示装置１は、本体１０と、この本体１０に対して着脱自在に構成される画像を表示するための表示装置２０および遮蔽板３０と、を含んで構成されている。後述するように、表示装置２０と遮蔽板３０は、本体１０に対して着脱自在に構成されている。
【００２７】
本体１０は、表示装置２０と、遮蔽板３０とを保持し、且つ画像表示装置１のユーザの頭部への固定をなすためのものである。画像表示装置１の使用時に、本体１０は、ユーザの頭部に装着される。画像表示装置１は、本体１０のつる１１をユーザの両耳にかけることにより、ユーザの頭部に固定的に装着される。また、つる１１は、画像表示装置１の不使用時には、フレーム枠１２に向かって折り畳めるようになっている。
この実施形態における本体１０は、メガネのフレーム形状をしており、左右２本のつる１１とフレーム枠１２を含んで構成されている。フレーム枠１２は、右目用フレーム枠１２Ｒと、左目用フレーム枠１２Ｌを含んでいる。右目用フレーム枠１２Ｒと、左目用フレーム枠１２Ｌは、ブリッジ１２Ｂで連結されている。このブリッジ１２Ｂにはノーズパットが設けられている。右目用フレーム枠１２Ｒは、画像表示装置１のユーザの頭部への固定的な装着をなしたときに、ユーザの右目の前方に位置するフレーム枠１２であり、左目用フレーム枠１２Ｌは、画像表示装置１のユーザの頭部への固定的な装着をなしたときに、ユーザの左目の前方に位置するフレーム枠１２である。この実施形態では、両フレーム枠１２Ｌ、Ｒともに、環状に形成されている。より詳細には、両フレーム枠１２Ｌ、Ｒともに、金属製の棒状体によって作られており、平行な２本の直線の両端同士を半円状の弧で接続した横長の小判形状とされている。なお、この実施形態における右目用フレーム枠１２Ｒ、左目用フレーム枠１２Ｌの内側には、レンズは嵌められていない。
この実施形態の画像表示装置１では、右目用フレーム枠１２Ｒ、左目用フレーム枠１２Ｌの一方に表示装置２０が、他方に遮蔽板３０が取付けられるようになっている。図１では、左目用フレーム枠１２Ｌの内側に表示装置２０が、右目用フレーム枠１２Ｒの内側に遮蔽板３０が、それぞれ固定されている。表示装置２０と遮蔽板３０の位置関係は逆でも構わない。
【００２８】
表示装置２０は、本発明の表示手段およびＵＳＢ制御手段に相当するものである。表示装置２０は、画像表示装置１の使用時に、ユーザの一方の目（この実施形態では、左目）の前に位置するものであり、所定の画像の像光を左目に導くことで、ユーザが左目で画像を見られるようにするものである。ユーザは、その左目の視野の一部である表示範囲に存在するような状態で、上述の画像を見ることになる。
表示装置２０は、図１に示したように、略直方体形状に形成されたケース２１を備えている。これには限られないが、この実施形態におけるケース２１は樹脂製である。画像表示装置１の使用時にユーザの目の前に位置するケース２１の面には鏡筒２２が設けられている。鏡筒２２は、略円筒形状である。また、ケース２１の鏡筒２２が設けられている面と向かい合う面には操作ボタン２３が設けられている。図２は、この操作ボタン２３を示す図である。操作ボタン２３は、携帯電話２側のどの画像を表示装置２０に表示するかをユーザに選択させるためのボタンである。本図に示すように、この操作ボタン２３は方向指示ボタン２３ａないし２３ｄと、画像選択ボタン２３ｅと、画像選択キャンセルボタン２３ｆとを有している。
また、ケース２１はＵＳＢ端子２４を有しており、ＵＳＢケーブルＣの一端と接続できるようになっている。このＵＳＢケーブルＣは、後述するように、ＵＳＢケーブルＣの他端に接続された携帯電話２の画像データを表示装置２０へと送るものである。
【００２９】
ケース２１の内部には、図３に示すように、変換基板２５、バックライトユニット２６、液晶ディスプレイ２７が設けられている。
鏡筒２２の内部には拡大レンズ２８、反射防止フィルタＦが設けられている。
変換基板２５は、本発明の画像データ表示制御手段に相当するものであり、外部から送られてくる画像データを液晶ディスプレイ２７に表示できるようなものに変換し、液晶ディスプレイ２７の制御を行うものである。
バックライトユニット２６は、液晶ディスプレイ２７を背後から照明するバックライトを含んでおり、バックライトの制御を行うものとなっている。
液晶ディスプレイ２７は、変換基板２５の制御下で、動画または静止画である所定の画像を表示するものである。
拡大レンズ２８は、液晶ディスプレイ２７に表示された画像の像光を、拡大するものである。なお、拡大レンズ２８は、１枚である必要はなく、複数枚のレンズから構成されている場合もある。この実施形態の拡大レンズ２８は、また、鏡筒２２を回転させることで前後動するようになっている。これにより、ユーザの視力に多少バラツキがあったとしても、ユーザの目に上述の画像をしっかり結像させられるようになる。拡大レンズ２８を前後動させるための構成はどのようなものでもよいが、例えば、鏡筒２２を二重の構造とし、それらの内側の物の外面と外側の物の内面にネジ切りをして螺合させるとともに、鏡筒２２の内側の物の内面に拡大レンズ２８を固定することで実現できる。
反射防止フィルタＦは、外部からの光の反射を防止するためのものである。ユーザは、反射防止フィルタＦを通過して来た像光を左目で見ることになる。反射防止フィルタＦは、少なくともユーザの目に対向する側の面が平滑になるように形成されている。この実施形態における反射防止フィルタＦは、両面が平滑になるように形成されている。また、この実施形態における反射防止フィルタＦは、像光の光路に対して垂直になるようにして、鏡筒２２内に配置されている。なお、反射防止フィルタＦは、必要に応じて他のフィルタや透明な板にしてもよい。
変換基板２５は、液晶ディスプレイ２７に表示する画像を制御するものである。変換基板２５は、後述する回路２９から画像データを受け取り、この画像信号に基づく画像を液晶ディスプレイ２７に表示する。もっとも変換基板２５は、表示装置２０の内部に設けられている必要はなく、そのすべて、或いは一部が、表示装置２０外に設けられていても構わない。
【００３０】
さらに、ケース２１の内部には、画像表示装置１と携帯電話２がＵＳＢ接続されてときに携帯電話２と画像表示装置１との間のＵＳＢ接続の制御を行い、ＵＳＢ端子２４を介して携帯電話２から画像表示装置１に画像データを送信させるように制御を行う、図３に示す回路２９が配されている。
その回路２９は、図４に示すように、ＣＰＵ１０１、ＲＯＭ１０２、ＲＡＭ１０３、インタフェース１０４、データ伸張回路１０５と、これらを接続するバス１０６を備えてなる。
ＣＰＵ１０１は、所定のプログラムにしたがって、携帯電話２と画像表示装置１との間のＵＳＢ接続の制御を行い、ＵＳＢ端子２４を介して携帯電話２から画像表示装置１に画像データを送信させるための制御を行う。
ＲＯＭ１０２は、情報を固定的に記録する記録媒体である。
ＲＡＭ１０３は、揮発性の記録媒体であり、ＣＰＵ１０１が上述の処理、制御を行う際に必要な作業領域を提供するものである。なお、本実施形態では、ＲＡＭ１０３中に携帯電話２から送信されてきた画像データを一時的に記録するための図示しないフレームバッファが設けられている。
インタフェース１０４は、上記回路２９と外部とをつなぐものであり、この実施形態では、ＵＳＢケーブルＣ、変換基板２５、操作ボタン２３と接続されている。
データ伸張回路１０５は、携帯電話２から送信された画像データが圧縮された画像データである場合に、これを伸張するものである。
【００３１】
ＣＰＵ１０１がＲＯＭ１０２に記録されていたプログラムを実行することにより、以下のような機能ブロックが生成される。この機能ブロックを図５に示す。
ケース２１内には、入力情報管理部１１１、制御部１１２、出力情報管理部１１３が生成される。
入力情報管理部１１１は、ＵＳＢケーブルＣおよび操作ボタン２３からの画像データまたは入力された情報を制御部１１２へ送る機能を有する。
制御部１１２は、ＵＳＢケーブルＣにより携帯電話２と画像表示装置１とが接続された場合、携帯電話２と画像表示装置１との間のＵＳＢ接続の制御を行い、ＵＳＢケーブルＣを介して携帯電話２から画像表示装置１に画像データを送信させるように制御し、入力情報管理部１１１を介して制御部１１２に送られたその画像データを出力情報管理部１１３に送るように制御する機能を有する。携帯電話２から画像表示装置１に送信される画像データは、操作ボタン２３から入力された情報によって異なるものとなる。
制御部１１２内には、主制御部１１２Ａと、一時記録部１１２Ｂと、データ伸張部１１２Ｃとが生成される。
【００３２】
主制御部１１２Ａは、ＵＳＢケーブルＣを介して接続されている携帯電話２を画像表示装置１が認識するための処理（エニュメレーション）、この携帯電話２から画像表示装置１に送信可能な画像一覧を携帯電話２に送信させる処理、この画像一覧の中からユーザの選択した画像の画像データを携帯電話２に送信させる処理、送信させた画像データに付されたヘッダにより、該画像データが静止画のデータであるか動画のデータであるかを認識する処理、および送信させた画像データを必要に応じて後述のデータ伸張部１１２Ｃにより伸張させる処理、を実行する。
このような、携帯電話２に送信すべき情報、表示すべき画像データは、出力情報管理部１１３を介してＵＳＢ端子２４、変換基板２５へと送られることとなる。
一時記録部１１２Ｂは、携帯電話２から送信されてきた画像データを一時的に記録する。この一時的な記録は、この実施形態では、画像データに付されたヘッダに基づき、画像データが静止画のデータである場合にはその静止画の全体について、画像データが動画のデータである場合にはその動画のフレーム毎に行われる。
データ伸張部１１２Ｃは、携帯電話２から送信された画像データが圧縮された画像データである場合に、これを伸張する。
【００３３】
遮蔽板３０は、画像表示装置１の使用時にユーザの他方の目（この実施形態では、右目）の前に位置するものであり、ユーザの右目の視野の遮蔽範囲に入ってくる光を、ユーザの左目の表示範囲に入ってくる光よりも弱くするものである。なお、遮蔽範囲とは、表示範囲に略対応する範囲、又は当該範囲を含むより広い範囲をいう。
この実施形態では、遮蔽板３０は、矩形の板状体となっている。また、溝をその上下に備えている。遮蔽板３０は、樹脂、木、紙、金属などによって形成することができるが、この実施形態では樹脂によって形成されている。この遮蔽板３０は、不透明な樹脂でできているが、透光性がある程度低いのであれば、半透明の樹脂でできていても構わない。例えば、比較的濃色で、透光率が５０％以下のレンズ（例えば、サングラスの度なしレンズ）と同様の素材を遮蔽板３０に用いることができる。
なお、本実施形態の画像表示装置１は以上のような構成のものとして説明するが、これに限られず、本発明の画像表示ＵＳＢ端子、ＵＳＢ制御手段、表示手段、および画像データ表示制御手段を有していればどのようなものであっても構わない。例えば、本体１０と表示装置２０とが一体成形されていてもよいし、遮蔽板を有しない構成のものとしてもよい。
【００３４】
次に、本実施形態の携帯電話２について説明する。
この実施形態で使用する携帯電話２は、図６に示すように、送受信アンテナ５１が植設されたケース５２の表面に各種情報の入力を行うキー操作部５３、画像等を表示する液晶表示装置（以下、「ＬＣＤ」という。）５４、が設けられており、インターネットＮを介して、ファームウェア提供サーバＳ１やコンテンツ配信サーバＳ２等のサーバＳとインタラクティブに通信を行えるようになっている。また、この携帯電話２はメモリカード５５を収容することができるメモリカードスロット５６、ＵＳＢ端子５７、および図示しないテレビチューナを備えている。
以上の携帯電話２は、図７に示すように、携帯電話２全体の動作を統括するＣＰＵ２０１、ＲＡＭ２０２やＲＯＭ２０３等のメモリ、無線部２０４、インタフェース２０５と、これらを接続するバス２０６を備えてなる。
無線部２０４は、インターネットＮを介して外部のファームウェア提供サーバＳ１やコンテンツ配信サーバＳ２との間で無線通信を行うためのものである。また、外部の基地局からテレビ放送を受信するためのものである。
インタフェース２０５は、この実施形態では、ＵＳＢケーブル、メモリカードと接続されている。
なお、本実施形態では、ＲＡＭ２０２に図示しないヘッダ付加プログラム、データ圧縮プログラムが格納されている。
このヘッダ付加プログラムは、本発明のプログラムであり、画像表示装置１に送信すべき画像データが静止画のデータであるか動画のデータであるかを示すヘッダを付するようになっている。
このデータ圧縮プログラムは、本発明のプログラムであり、画像表示装置１に送信すべき画像データが動画のデータである場合、これを圧縮するようになっている。なお、本実施形態では、データ圧縮プログラムは、携帯電話２から画像表示装置１に送信すべき画像データが動画である場合にのみ圧縮するものとして記載するが、以下のような改変も可能である。まず、画像表示装置１に送信すべき画像データが動画のデータまたは静止画のデータのどちらであっても圧縮するものとすることができる。この場合、携帯電話２から画像表示装置１に送信すべき画像データが動画である場合に、携帯電話２から画像表示装置１に送信すべき画像データが静止画である場合よりも圧縮のレートを高くするようになっていてもよい。また、画像表示装置１に送信すべき画像データが動画のデータまたは静止画のデータのどちらであっても圧縮しないものとすることができる。この場合には、画像表示装置１、携帯電話２はそれぞれデータ伸張回路１０５、データ圧縮プログラムを有しないような構成としてもよい。
これらのヘッダ付加プログラムおよびデータ圧縮プログラムは、本実施形態では、無線部２０４およびインターネットＮを介して外部のファームウェア提供サーバＳ１からファームウェアとして提供され、ＲＡＭ２０２に格納されているものとして記載するが、携帯電話２の製造販売時に、携帯電話２のＲＯＭ２０３等にインストールされていてもよい。
さらに、必要に応じてファームウェア提供サーバＳ１から更新用ファームウェアをダウンロードできるようにしてもよい。
【００３５】
本実施形態では、携帯電話２と画像表示装置１がＵＳＢケーブルＣにより接続された場合、ＣＰＵ２０１が上述のプログラムを実行することにより、携帯電話２には図８に示される機能ブロック、すなわち、入力情報管理部２１１、制御部２１２、通信制御部２１３および出力情報管理部２１４の機能が生成される。なお、本実施形態では上述のプログラムを実行することにより以下の機能ブロックが生成されるものとして記載するが、これに限られず、携帯電話２が有するプログラムと協働して以下の機能ブロックが生成されてもよい。
入力情報管理部２１１は、ＵＳＢケーブルＣおよびメモリカード５５からの画像データまたは入力された情報を制御部２１２へ送る機能を有する。
通信制御部２１３は、制御部２１２の指示に応じてインターネットＮを介して外部のサーバＳから画像データをダウンロードできるようになっている。この通信制御部２１３はまた、制御部２１２の指示に応じて外部の基地局から所定の周波数の電波を受信し、受信した信号を復調、デコードするようになっている。
制御部２１２は、ＵＳＢケーブルＣにより画像表示装置１と携帯電話２とが接続された場合、画像表示装置１の要求に応じて各種情報を送信することによりＵＳＢ接続を成立させ、携帯電話２から画像表示装置１に画像データを送信するように携帯電話２を制御する機能を有する。
制御部２１２内には、主制御部２１２Ａと、一時記録部２１２Ｂと、データ圧縮部２１２Ｃとが生成される。
【００３６】
主制御部２１２Ａは、ＵＳＢケーブルＣにより画像表示装置１と携帯電話２とが接続された場合、画像表示装置１の要求に応じて各種情報を送信することによりＵＳＢ接続を成立させるための処理、画像表示装置１の要求に応じて送信可能な画像一覧を画像表示装置１に送信する処理、画像表示装置１側で選択された画像データを読み出し（またはインターネットＮまたはチューナを介して取得し）、この画像データが静止画のデータであるか動画のデータであるかを示すヘッダを付し、必要に応じて後述のデータ圧縮部２１２Ｃに圧縮させ、画像表示装置１に送信する処理、を実行する。
一時記録部２１２Ｂは、画像表示装置１に送信すべき画像データであって、チューナを介して受信した画像データまたはコンテンツ配信サーバＳ２から受信した画像データを一時的に記録する。この一時的な記録は、この実施形態では、画像データが静止画についてのものである場合にはその静止画の全体について、画像データが動画についてのものである場合にはその動画のフレーム毎に行われる。
データ圧縮部２１２Ｃは、画像表示装置１に送信すべき画像データが動画のデータである場合に、これを圧縮する。
【００３７】
画像表示装置１に送信すべき画像データ（または圧縮した画像データ）は、出力情報管理部２１４を介して画像表示装置１に送信される。
【００３８】
次に、携帯電話２からの画像を画像表示装置１の液晶ディスプレイ２７に表示させるまでの手順について説明する。
まず、画像表示装置１と携帯電話２とのＵＳＢ接続を成立させる。
すなわち、ユーザにより画像表示装置１および携帯電話２のＵＳＢ端子２４、５７がそれぞれＵＳＢケーブルＣの端子に接続されると、画像表示装置１の主制御部１１２Ａは、画像表示装置１が接続された携帯電話２を認識するための処理（エニュメレーション）を開始する。具体的には、主制御部１１２Ａは出力情報管理部１１３を制御して、接続された端末を認識するために必要な情報を要求する信号を出力情報管理部１１３、ＵＳＢケーブルＣを介して携帯電話２に送信する。
このような信号が携帯電話２に送信されると、携帯電話２の主制御部２１２Ａは、当該端末を認識するために必要な情報を出力情報管理部２１４、ＵＳＢケーブルＣを介して画像表示装置１に送信する。
この情報を画像表示装置１が受信することによってエニュメレーション処理が完了し、携帯電話２の画像データを画像表示装置１に送信させることができるようになる。
【００３９】
エニュメレーション処理の完了後、画像表示装置１の主制御部１１２Ａは、携帯電話２から画像表示装置１に送信可能な画像情報を要求する信号を出力情報管理部１１３、ＵＳＢケーブルＣを介して携帯電話２に送信する。
このような信号が携帯電話２に送信されると、携帯電話２の主制御部２１２Ａは、携帯電話２から画像表示装置１に送信可能な画像情報を出力情報管理部２１４、ＵＳＢケーブルＣを介して画像表示装置１に送信する。
画像表示装置１の主制御部１１２Ａは、携帯電話２から入力情報管理部１１１を通じて送信されてきた情報を出力情報管理部１１３を通じて変換基板２５に送り、液晶ディスプレイ２７に表示させる。
図９は、液晶ディスプレイ２７に表示される画面の一例を示す図である。この図では、携帯電話２から画像表示装置１に送信可能な画像情報がアイコンによって表示されている。
ユーザは、操作ボタン２３の方向指示ボタン２３ａないし２３ｄを操作することによって、液晶ディスプレイ２７に表示されたアイコンのうち表示したい画像情報を示すアイコンを選択し（図９の例では「メモリカード」が選択されている）、画像選択ボタン２３ｅを押す。なお、画像情報を示すアイコンは階層的になっており、例えば図９のアイコンのうち「メモリカード」が選択された場合には、続いてメモリカード５５内に保存されている画像情報を示すアイコン一覧が表示されるようになっている。なお、選択をキャンセルしたい場合には画像選択キャンセルボタン２３ｆを押すことで画像が選択されていない状態に戻るようになっている。
【００４０】
この操作ボタン２３によりどの画像が選択されたかを示す信号は、入力情報管理部１１１を通じて主制御部１１２Ａに送られる。
主制御部１１２Ａはこれに基づき、ユーザにより選択された画像を携帯電話２に送信するように要求する信号を出力情報管理部１１３、ＵＳＢケーブルＣを介して携帯電話２に送信する。
このような信号が携帯電話２に送信されると、携帯電話２の主制御部２１２Ａは、画像表示装置１側で選択された画像データをメモリカード５５から（ユーザにより選択された画像が内部メモリに格納されている場合は該画像データを内部メモリから）読み出し、この画像データが静止画のデータである場合は、静止画のデータであることを示すヘッダを付し、該画像データを出力情報管理部２１４を介して画像表示装置１に送信する。一方、この画像データが動画のデータである場合は、主制御部２１２Ａは該画像データが動画のデータであることを示すヘッダを付し、データ圧縮部２１２Ｃに該データを圧縮させてから該画像データを出力情報管理部２１４を介して画像表示装置１に送信する。
画像表示装置１の主制御部１１２Ａは、携帯電話２から入力情報管理部１１１を通じて送信されてきた画像データに付されたヘッダにより、該画像データが静止画のデータであるか動画のデータであるかを認識し、画像データを出力情報管理部１１３を通じて変換基板２５に送り、適切な画像を液晶ディスプレイ２７に表示させる。なお、送信されてきた画像データが圧縮された画像データである場合には、主制御部１１２Ａはデータ伸張部１１２Ｃに該データを伸張させてから該画像データを出力情報管理部１１３を介して画像表示装置１に送信する。
このようにして、携帯電話２からの画像を画像表示装置１の液晶ディスプレイ２７に表示させることができる。
【００４１】
なお、ユーザにより選択されたアイコンが「インターネット」である場合には、携帯電話２の主制御部２１２Ａは、携帯電話２内のメモリに登録されているコンテンツ配信サーバＳ２の情報を出力情報管理部２１４を介して画像表示装置１に送信する。この情報に基づき、画像表示装置１の主制御部１１２Ａは、画像表示装置１の液晶ディスプレイ２７に該コンテンツ配信サーバＳ２の一覧を表示させる。ユーザは操作ボタン２３によりこれらのコンテンツ配信サーバＳ２の中のうち１つを選択する。
主制御部１１２Ａはこれに基づき、ユーザにより選択されたコンテンツ配信サーバＳ２にアクセスするよう求める信号を出力情報管理部１１３、ＵＳＢケーブルＣを介して携帯電話２に送信する。
このような信号が携帯電話２に送信されると、携帯電話２の主制御部２１２Ａは、通信制御部２１３を制御してインターネットＮにアクセスし、選択されたコンテンツ配信サーバＳ２にアクセスし、画像データを受信する。
主制御部２１２Ａは、受信した画像データを一時記録部２１２Ｂに記録し、この画像データが静止画のデータである場合は、該画像データが静止画のデータであることを示すヘッダを付し、該画像データを出力情報管理部２１４を介して画像表示装置１に送信する。一方、この画像データが動画のデータである場合は、該画像データが動画のデータであることを示すヘッダを付し、データ圧縮部２１２Ｃに該データを圧縮させてから該画像データを出力情報管理部２１４を介して画像表示装置１に送信する。その後の手順は上述したとおりである。
【００４２】
ユーザにより選択されたアイコンが「ＴＶ」である場合には、携帯電話２の主制御部２１２Ａは、携帯電話２内のメモリに登録されているチャンネル情報を出力情報管理部２１４を介して画像表示装置１に送信する。この情報に基づき、画像表示装置１の主制御部１１２Ａは、画像表示装置１の液晶ディスプレイ２７に該チャンネル一覧を表示させる。ユーザは操作ボタン２３によりこれらのチャンネルの中のうち１つを選択する。
主制御部１１２Ａはこれに基づき、ユーザにより選択されたチャンネルを受信するように求める信号を出力情報管理部１１３、ＵＳＢケーブルＣを介して携帯電話２に送信する。
このような信号が携帯電話２に送信されると、携帯電話２の主制御部２１２Ａは、通信制御部２１３を制御して、選択されたチャンネルの画像データを受信する。
主制御部２１２Ａは、受信した画像データを一時記録部２１２Ｂに記録し、該画像データが動画のデータであることを示すヘッダを付し、データ圧縮部２１２Ｃに動画のデータである該データを圧縮させてから該画像データを出力情報管理部２１４を介して画像表示装置１に送信する。その後の手順は上述したとおりである。
【００４３】
このような本実施形態の画像表示装置１および携帯電話２によれば、携帯電話２と画像表示装置１とをＵＳＢ接続して画像データを携帯電話２から画像表示装置１に送るようにできるとともに、携帯電話２から画像表示装置１に送信した画像を略実時間で画像表示装置１の液晶ディスプレイ２７に表示できるようになる。
【００４４】
以上の本実施形態では、携帯電話２から画像表示装置１に送信させるべき画像データを画像表示装置１側で指定するものとして記載したが、この画像データを携帯電話２側で指定（携帯電話２のＬＣＤ５４または画像表示装置１の液晶ディスプレイ２７に送信させるべき画像データの一覧を表示させ、キー操作部５３を操作することにより指定）するようにしてもよい。
また、携帯電話２から画像表示装置１に送信させるべき画像データの一覧は、どのような態様で表示されてもよい。例えば、本実施形態では、ユーザにより選択されたアイコンが「インターネット」である場合に携帯電話２内のメモリに登録されているコンテンツ配信サーバＳ２の情報のみを表示するものとして記載したが、ユーザが「インターネット」を選択した時点でインターネットＮにつながるようにし、様々なサイトを検索できるようにしてもよい。
また、本実施形態の携帯電話は、画像データが静止画のデータであるか動画のデータであるかを示すヘッダを付してから送信するものとして記載するが、必ずしも付す必要はない。
【００４５】
また、携帯電話２から画像表示装置１に送信させるべき画像データが音声を有する場合、この音声を携帯電話２から直接聞くようにしてもよいし、携帯電話２から画像表示装置１に送信させるべき画像データと同時にその音声データを送信させ、画像表示装置１側に設けられるスピーカから音声を再生するような構成にしてもよい。
【００４６】
＜変形例＞
以上の実施形態では、本発明の画像表示装置１としてＨＭＤタイプの画像表示装置を使用する場合について記載したが、これに限られず、本発明の画像表示装置１として、図１０に示すようなプロジェクタ６１や図１１に示すような解像度の高い大画面ディスプレイ７１を使用することもできる。
プロジェクタ６１を介してスクリーン６２に携帯電話２からの画像、例えば文書についての画像を表示して、プレゼンテーションしたりすることができる。
また、解像度の高い大画面ディスプレイ７１に携帯電話２からの画像、例えばコンテンツ配信サーバＳ２からの動画を表示することができ、迫力ある画像を楽しむことができる。
【図面の簡単な説明】
【００４７】
【図１】本実施形態の画像表示装置および携帯電話を示す図。
【図２】操作ボタンの構成を示す図。
【図３】図１に示した画像表示装置の表示装置を上側から見たところを示す透視図。
【図４】本実施形態の画像表示装置の構成を示す図。
【図５】本実施形態の画像表示装置内に生成される機能ブロックを示すブロック図。
【図６】本実施形態の携帯電話を含んだネットワークを示す図。
【図７】本実施形態の携帯電話の構成を示す図。
【図８】本実施形態の携帯電話内に生成される機能ブロックを示すブロック図。
【図９】本実施形態の画像表示装置の液晶ディスプレイに表示される選択画面の一例を示す図。
【図１０】本発明の変形例を示す図。
【図１１】本発明の変形例を示す図。
【符号の説明】
【００４８】
１  画像表示装置
２  携帯電話
１０  本体
１１  つる
１２  フレーム枠
２０  表示装置
２１  ケース
２２  鏡筒
２３  操作ボタン
２４  ＵＳＢ端子
２５  変換基板
２６  バックライトユニット
２７  液晶ディスプレイ
２８  拡大レンズ
２９  回路
３０  遮蔽板
５１  送受信アンテナ
５２  ケース
５３  キー操作部
５４  液晶表示装置
５５  メモリカード
５６  メモリカードスロット
５７  ＵＳＢ端子
【図１】
2009088575.tif 000003
【図２】
2009088575.tif 000004
【図３】
2009088575.tif 000005
【図４】
2009088575.tif 000006
【図５】
2009088575.tif 000007
【図６】
2009088575.tif 000008
【図７】
2009088575.tif 000009
【図８】
2009088575.tif 000010
【図９】
2009088575.tif 000011
【図１０】
2009088575.tif 000012
【図１１】
2009088575.tif 000013